(57)【要約】【課題】ロータリー型穿孔装置のパンチシリンダーに巻き付いた用紙を迅速かつ容易に剥がし、剥がした後における用紙の管理を容易にすることである。【解決手段】本発明は、シリンダー表面に多数のピンパンチを植設したパンチシリンダーと、ピンパンチ位置に対応したダイホールを多数穿設したダイシリンダーからなる一対のシリンダーにより構成されたロータリー型穿孔装置において、前記パンチシリンダー上側の用紙流れ方向の上流側に隣接して、フィルムロールを左右から支持する着脱機構と、前記フィルムロールからフィルムを送り出すフィルム送り出し機構と、前記フィルム送り出し機構により送り出された前記フィルムを前記パンチシリンダーと前記ダイシリンダーとの間に挿入するフィルム挿入機構と、前記フィルム挿入機構により挿入された前記フィルムが前記パンチシリンダーに巻き付いた後に前記パンチシリンダーの径一周分の長さに達した時点で前記フィルムを切断するフィルム切断機構とを有するフィルム供給装置を備えたことを特徴とするロータリー型穿孔装置を提供するものである。【選択図】        図１
2005007492.tif 000002
【特許請求の範囲】
【請求項１】
シリンダー表面に多数のピンパンチを植設したパンチシリンダーと、ピンパンチ位置に対応したダイホールを多数穿設したダイシリンダーからなる一対のシリンダーにより構成されたロータリー型穿孔装置において、フィルムロールを左右から支持する着脱機構と、前記フィルムロールからフィルムを送り出すフィルム送り出し機構と、前記フィルム送り出し機構により送り出された前記フィルムを前記パンチシリンダーと前記ダイシリンダーとの間に挿入するフィルム挿入機構と、前記フィルム挿入機構により挿入された前記フィルムが前記パンチシリンダーに巻き付いた後に前記パンチシリンダーの径一周分の長さに達した時点で前記フィルムを切断するフィルム切断機構とを有するフィルム供給装置を備えたことを特徴とするロータリー型穿孔装置。
【請求項２】
前記フィルム挿入機構は、前記フィルムを前記パンチシリンダーと前記ダイシリンダーとの間に挿入するためのガイド板を備えたことを特徴とする請求項１記載のロータリー型穿孔装置。
【請求項３】
前記フィルム切断機構は、ロータリーエンコーダにより前記フィルムを任意の長さで切断する断裁刃を備えたことを特徴とする請求項１又は請求項２記載のロータリー型穿孔装置。
【請求項４】
前記フィルム供給装置が、前記パンチシリンダー上部に位置し、用紙流れ方向の上流側に隣接して設けていることを特徴とする請求項１、２又は３記載のロータリー型穿孔装置。
【発明の詳細な説明】
【０００１】
【発明の属する技術分野】
本発明は、切手や証紙などの印刷を行った後に所定の位置に目打ちを入れる穿孔装置に関する。
【０００２】
【従来の技術】
切手や証紙、ラベル等の各券片を容易に切断して使用することができるように目打ちを連続して形成する穿孔装置には、くし型穿孔装置とロータリー型穿孔装置がある（例えば、特許文献１及び特許文献２参照）。
【０００３】
特にロータリー型穿孔装置は、パンチシリンダー表面に多数のピンパンチを植設したパンチシリンダーとピンパンチ位置に対応したダイホールを多数穿設したダイシリンダーからなる一対のシリンダーにより形成されている。ロータリー型穿孔装置は、これら一対のシリンダーを駆動源によって回転させ、パンチシリンダーとダイシリンダーとの間に印刷された用紙を挿入し、パンチシリンダー表面に存在する多数のピンパンチにより印刷された用紙に穿孔を行うため、高速印刷に対応することができる（例えば、特許文献３参照）。
【０００４】
【特許文献１】
特公昭４６−０１９９１３号公報（第１−３頁、第１図）
【特許文献２】
特開平０６−０９９３９８号公報（第１−３頁、第１−３図）
【特許文献３】
実開平０５−０５６３９５号公報（第１−２頁、第３−４図、第９−１０図）
【０００５】
【発明が解決しようとする課題】
しかし、ロータリー型穿孔装置は、パンチシリンダーとダイシリンダーとによる回転で穿孔を行うために多数の穿孔列が用紙に設けられ、穿孔作業中の用紙に破れ又はしわ，若しくは用紙の搬送に蛇行が生じた場合において、用紙の穿孔が設けられた部分が切断され、切断された用紙がパンチシリンダーに巻き付くことがある。
【０００６】
この場合において、パンチシリンダーに巻き付いた用紙を取り除くためには、印刷機を停止してパンチシリンダーに巻き付いた用紙にカッター等で切れ目を入れ、印刷機を低速で運転し、パンチシリンダーに巻き付いた用紙を人手により切れ目から巻き取りながら剥がすため非常に煩わしいという問題を有していた。
【０００７】
また、パンチシリンダーに巻き付いた用紙を剥がす作業は、人手で行うため穿孔装置による巻き込み、裂傷等の事故を起こすおそれがある。更に、人手による作業は時間を要し、剥がした用紙の穿孔が設けられた部分が破れて散乱するため，用紙の管理が煩わしくなるという問題も有していた。
【０００８】
本発明の課題は、あらかじめパンチシリンダーにフィルムを巻き付けておくことによりロータリー型穿孔装置のパンチシリンダーに巻き付いた用紙を迅速、かつ、容易に剥がし、剥がした用紙が破れて散乱することなく，用紙の管理を容易にすることである。
【０００９】
【課題を解決するための手段】
前述の課題を解決するため、本発明は、シリンダー表面に多数のピンパンチを植設したパンチシリンダーと、ピンパンチ位置に対応したダイホールを多数穿設したダイシリンダーからなる一対のシリンダーにより構成されたロータリー型穿孔装置において、フィルムロールを左右から支持する着脱機構と、フィルムロールからフィルムを送り出すフィルム送り出し機構と、フィルム送り出し機構により送り出されたフィルムをパンチシリンダーとダイシリンダーとの間に挿入するフィルム挿入機構と、フィルム挿入機構により挿入されたフィルムがパンチシリンダーに巻き付いた後にパンチシリンダーの径一周分の長さに達した時点でフィルムを切断するフィルム切断機構とを有するフィルム供給装置を備えたことを特徴とするロータリー型穿孔装置を提供するものである。
【００１０】
また、フィルム挿入機構が、ガイド板によりフィルムをパンチシリンダーとダイシリンダーとの間に挿入することを特徴とするロータリー型穿孔装置を提供するものである。
【００１１】
また、フィルム切断機構が、ロータリーエンコーダによりフィルムを任意の長さで切断する断裁刃を備えたことを特徴とするロータリー型穿孔装置を提供するものである。
【００１２】
また、フィルム供給装置が、パンチシリンダー上部に位置し、用紙流れ方向の上流側に隣接して設けていることを特徴とするロータリー型穿孔装置を提供するものである。
【００１３】
【発明の実施形態】
以下、本発明にかかるフィルム供給装置を備えたロータリー型穿孔装置について実施例により詳細に説明する。
【００１４】
（実施例）
図１はフィルム供給装置を備えたロータリー型穿孔装置の全体図、図２はフィルム供給装置のフィルム着脱機構を示す展開図、図３はフィルム供給装置の斜視図、図４はあらかじめフィルムをパンチシリンダーに巻き付ける側面図、図５はパンチシリンダーに用紙が巻き付いたときの側面図、図６はパンチシリンダーから用紙を剥がす斜視図である。
【００１５】
図１に示すようにパンチシリンダー２とダイシリンダー３により構成されたロータリー型穿孔装置１は、パンチシリンダー２上側の用紙流れ方向の上流側に隣接するフレームＦにフィルム供給装置６を備えている。
【００１６】
フィルム供給装置６は，図２に示すようにフィルムロール７の取り付け及び取り外しを行う開閉扉９と、ハンドル５を締め付けることによってフィルムロール７を左右より支持するフィルム着脱機構１０を有している。
【００１７】
なお、本実施例に使用されるフィルムロール７は、厚さ０．０２〜０．０５ｍｍ・幅３１０ｍｍ程度のポリエチレンフィルムである。なお、使用するフィルムは、厚さ０．０２〜０．０５ｍｍ・幅３１０ｍｍ程度であれば特に限定されず、例えばポリエステル、ポリカーボネート等の樹脂フィルムを使用することができる。
【００１８】
また、フィルム供給装置６は、図３に示すようにフィルムロール７からフィルム８を送り出すフィルム送り出し機構１１と、フィルム送り出し機構１１により送り出されたフィルム８をパンチシリンダー２に挿入するフィルム挿入機構であるガイド板１２と、ガイド板１２によってパンチシリンダー２に挿入されたフィルム８を切断する切断機構１３を有している。
【００１９】
フィルム送り出し機構１１は、ローラー１１ａとモーター１１ｂとベルト１１ｃを有している。フィルム送り出し機構１１のローラー１１ａは、モーター１１ｂとベルト１１ｃにより回転し、フィルムロール７と圧接することによってフィルムロール７を回転させてフィルム８をフィルム挿入機構であるガイド板１２に送り出す。
【００２０】
フィルム挿入機構であるガイド板１２は、フィルム送り出し機構１１により送られたフィルム８をガイド板に沿ってパンチシリンダー２とダイシリンダー３との間にセットする。
【００２１】
切断機構１３は、カッター１３ａとカッター台１３ｂとシリンダー１３ｃを有している。切断機構１３のカッター１３ａは、シリンダー１３ｃにより上下に稼動してカッター台１３ｂにおいてフィルム８を切断する。
【００２２】
次に、用紙に穿孔を施す前にパンチシリンダー２へあらかじめフィルム８を巻き付ける工程について説明する。
【００２３】
図４に示すようにローラー１１ａは、フィルムロール７を回転させてガイド板にフィルム８を送り出す。フィルム８は、ガイド板に沿って送り出されてパンチシリンダー２とダイシリンダー３との間にセットされる。セットされたフィルム８は、回転するパンチシリンダー２に巻き付けられ、ローラー１１ａがパンチシリンダー２の径一周長のフィルム８を送りだしてパンチシリンダー２に巻き付いたことをロータリーエンコーダ（図示せず。）により測定して切断機構１３で切断する。
【００２４】
次に、パンチシリンダー２に巻き付いた用紙４を剥がす工程について説明する。
【００２５】
用紙４は、図５に示すようにパンチシリンダー２にあらかじめ巻き付けられたフィルム８の上に巻き付いている。
【００２６】
また、パンチシリンダー２に用紙４が巻き付いて停止した場合は、ダイシリンダー３のギアが駆動ギアからはずれるため、パンチシリンダー２を手動で回転することができる。更に、図６に示すようにパンチシリンダー２に巻き付いた用紙４は、あらかじめパンチシリンダー２に巻きつけたフィルム８と一緒に人手により引っ張ることによって、パンチシリンダー２に巻き付いた用紙４と一緒にパンチシリンダー２から剥がすことができる。
【００２７】
なお、本発明は、本実施例に限定されるものではなく、本発明の要旨を逸脱しない範囲で各種変更が可能であることはいうまでもない。
【００２８】
【発明の効果】
本発明によれば、パンチシリンダーに巻き付いた用紙にフィルムを巻き付けて剥がすことによって、容易に、かつ、迅速に巻き付いた用紙をパンチシリンダーから剥がすことが可能であり、印刷機の停止時間を短縮することができるために作業効率を向上させることができる。
【００２９】
また、フィルム供給装置を使用してパンチシリンダーにフィルムをセットするため、パンチシリンダーに植設されたピンパンチによる裂傷、巻き込み等を防止することができるために作業員に対する安全性も確保することができる。
【００３０】
更に、巻き付いた用紙をフィルムと同時に剥がすことによって、剥がした用紙が散乱することがなく、剥がした用紙の復元及び用紙の管理が容易である。
【００３１】
【図面の簡単な説明】
【図１】本実施例におけるフィルム供給装置を備えたロータリー型穿孔装置の全体図である。
【図２】本実施例におけるフィルム供給装置のフィルム着脱機構を示す展開図である。
【図３】本実施例におけるフィルム供給装置の斜視図である。
【図４】本実施例においてフィルムをパンチシリンダーに巻き付ける側面図である。
【図５】本実施例においてパンチシリンダーに用紙が巻き付いたときの側面図である。
【図６】本実施例においてパンチシリンダーから用紙を剥がす斜視図である。
【符号の説明】
１      ロータリー型穿孔装置
２      パンチシリンダー
３      ダイシリンダー
４      用紙
５      ハンドル
６      フィルム供給装置
７      フィルムロール
８      フィルム
９      開閉扉
１０    着脱機構
１１    フィルム送り出し機構
１１ａ  ローラー
１１ｂ  モーター
１１ｃ  ベルト
１２    ガイド板
１３    切断機構
１３ａ  カッター
１３ｂ  カッター台
１３ｃ  シリンダー
Ｆ      フレーム
【図１】
2005007492.tif 000003
【図２】
2005007492.tif 000004
【図３】
2005007492.tif 000005
【図４】
2005007492.tif 000006
【図５】
2005007492.tif 000007
【図６】
2005007492.tif 000008